(57)【要約】【課題】防水パン用の封止栓自体を防水パンの輸送時の段積みにも利用できるようにし、段ボールによる梱包を行わないでも、埃よけ用のビニール包装で済むようにした防水パン用の封止栓の提供にある。【解決手段】防水パンの洗濯機の足載置部に垂直に形成された家屋床面設置用ネジの挿通孔を上部にて封止するための防水パン用の封止栓であって、プラスチック材からなり、前記挿通孔の天頂部に嵌合するフランジ部１２と、該フランジ部１２の底面に形成され前記挿通孔に嵌合する弾性部材１４とを備えた。【選択図】図１
2008308934.tif 000002
【特許請求の範囲】
【請求項１】
防水パンの洗濯機の足載置部に垂直に形成された家屋床面設置用ネジの挿通孔を上部にて封止するための防水パン用の封止栓であって、
プラスチック材からなり、前記挿通孔の天頂部に嵌合するフランジ部と、該フランジ部の底面に形成され前記挿通孔に嵌合する弾性部材とを備えたことを特徴とする防水パン用の封止栓。
【請求項２】
前記弾性部材は、弾性片から構成され、垂直方向にスリットを有する円筒状に形成されていることを特徴とする請求項１記載の防水パン用の封止栓。
【請求項３】
前記弾性片は、４片から構成され、それぞれの弾性片の間にスリットが生じるように配置されていることを特徴とする請求項２記載の防水パン用の封止栓。
【請求項４】
前記弾性片には、外側にロック用突起が形成されていることを特徴とする請求項２又は３記載の防水パン用の封止栓。
【発明の詳細な説明】
【技術分野】
【０００１】
本発明は、住宅内の流し場、トイレ、浴室等の床面上に設置される洗濯機等の下に敷く防水パン用の封止栓に関し、詳しくは防水パンを床面上に固定する時に防水パンの洗濯機の足載置部に垂直に形成された家屋床面設置用ネジの挿通孔を、ネジ留めした後に上部にて封止するための防水パン用の封止栓に関するものであり、また、防水パンを輸送する際に防水パンを積み重ねたときにずれないように利用することもできる防水パン用の封止栓に関するものである。
【背景技術】
【０００２】
一般に、流し場などの汚水その他の水を扱う場所には、タイル張りその他防水性の施工をすることが多いが、施工時間がかかり、かつ施工コストも嵩むので、簡易な方法として床面上に長方形のトレイである防水パンを置き、防水パンの洗濯機の足載置部に垂直に形成された家屋床面設置用ネジの挿通孔にネジを挿通して床面にネジ留めし固定して用いられている。
【０００３】
従来の防水パンは、上記のように家屋床部に固定するのに取付ネジの挿通孔が設けられていて、使用中に挿通孔から飛沫水等が洩れたり汚れが溜まり易い。また、防水パンに衝撃が加わると挿通孔付近より破損しやすいために、化粧を兼ねた詰め栓を嵌装しても、この栓が挿通孔より露出して体裁が悪いばかりか洗濯機などの防水パンに伝わる振動や衝撃で外れやすい。また、栓を接着剤などで接着するのは施工性が煩雑でコスト高となるほか、取外しが出来なくて排水修理、点検に支障をきたすなど問題があった。
【０００４】
そこで、特許文献１には、従来の欠点を解決するものとして、防水パンのネジ挿通孔に嵌合した栓を接着手段を用いることなく固定でき、防水パンに振動や衝撃が伝わっても防水パンから栓の外れ現象がなく安全に取付ネジの挿通孔の封緘ができて防塵、防水に役立ち、しかも栓体の露出もなく体裁良好で組立取扱いも容易である防水パン等用栓が記載されている。
【０００５】
【特許文献１】実用新案登録第３０１１７５４号公報
【発明の開示】
【発明が解決しようとする課題】
【０００６】
ところで、上記特許文献１記載の防水パン用の栓は、防水パンの洗濯機の足載置部に垂直に形成された家屋床面設置用ネジの挿通孔にネジを挿通して防水パンを床面上にネジ留め固定したあとに、ゴミや水の侵入を防ぐため挿通孔の天頂部を封止するものであって、マンションなどの工事のため防水パンを輸送する際には、木ネジとこの栓を袋に入れて防水パンに添付して輸送している。
【０００７】
通常、マンションやアパートの建築では、多数の防水パンを使用しているが、製造現場から建築現場までの防水パンの輸送は、複数個（４個ほど）を段積みにして荷崩れがおきないように段ボールでしっかりと梱包した状態で行っている。
このような形式で防水パンを輸送すると、防水パンを取り出したあとの段ボールの後処理が煩雑となり、また段ボールを使用することで経費が嵩むという問題もある。
【０００８】
本発明の課題は、防水パン用の封止栓自体を防水パンの輸送時の段積みにも利用できるようにし、段ボールによる梱包を行わないでも、埃よけ用のビニール包装で済むようにした防水パン用の封止栓の提供にある。
【課題を解決するための手段】
【０００９】
本発明は、上記課題を解決するために次の手段を採用した。
請求項１記載の防水パン用の封止栓は、防水パンの洗濯機の足載置部に垂直に形成された家屋床面設置用ネジの挿通孔を上部にて封止するための防水パン用の封止栓であって、プラスチック材からなり、前記挿通孔の天頂部に嵌合するフランジ部と、該フランジ部の底面に形成され前記挿通孔に嵌合する弾性部材とを備えたことを特徴としている。
【００１０】
請求項２記載の発明は、請求項１記載の防水パン用の封止栓において、弾性部材は、弾性片から構成され、垂直方向にスリットを有する円筒状に形成されていることを特徴としている。
【００１１】
請求項３記載の発明は、請求項２記載の防水パン用の封止栓において、弾性片は、４片から構成され、それぞれの弾性片の間にスリットが生じるように配置されていることを特徴としている。
【００１２】
また、請求項４記載の発明は、請求項２又は３記載の防水パン用の封止栓において、弾性片には、外側にロック用突起が形成されていることを特徴としている。
【発明の効果】
【００１３】
本発明の防水パン用の封止栓によれば、防水パンを家屋床面上に設置する時にネジ留め用として防水パンの洗濯機の足載置部に垂直に形成された挿通孔の天頂部を封止する防塵・防水の役割を果たすとともに、防水パンの輸送時に段重ねするときに、封止栓を防水パンの洗濯機の足載置部に垂直に形成された挿通孔に上下逆に嵌め込み、封止栓の弾性部材（弾性片）を上側に配置される防水パンの挿通孔に下側から嵌合させて防水パンが横ずれしないようにする。これにより、段ボールによる梱包を行わないでも、埃よけ用のビニール包装のみでも荷崩れが起こらない結果、段ボールの使用、廃棄処理等にかかる経費の節減や煩雑さを回避することができる。
【発明を実施するための最良の形態】
【００１４】
以下、この発明の実施の形態を図面を参照して説明する。
図１は、この発明の実施の形態に係る防水パンの封止栓を示し（ａ）は正面図、（ｂ）は底面図である。
図２は防水パンを示し（ａ）は平面図、（ｂ）は（ａ）のＡ−Ａ線断面図である。
図３（ａ）は、図２（ａ）のＢ−Ｂ線の拡大断面図で、（ｂ）は防水パンを家屋床面に設置する時にネジ留めをして、その後に防水パンの封止栓によって防水パンの洗濯機の足載置部に垂直に形成されたネジ挿通孔の天頂部を封止した図である。
【００１５】
本発明の実施形態に係る防止パン用の封止栓１０は、図１に示すように、所定の厚みの有る円板状のフランジ部１２を有していて、該フランジ部１２はその外周面が上方から下方に向かってわずかながら先細りのテーパー状に形成されている。
また、前記フランジ部１２の底面１２ａには、椅子の脚のような形状の４本の弾性片１４が垂直方向にスリット１６を有する円筒状に形成されており、各弾性片１４には、その外側にロック用の突起１４ａが形成されている。
なお、フランジ部１２も弾性片１４もプラスチック材、例えばＡＢＳ樹脂で一体として成形されている。
【００１６】
次に、この封止栓１０を適用する防水パンについて説明すると、防止パン２０は、矩形状の皿部２１を有しており、図２（ａ）に示すように、該皿部２１の中央左よりに排水用のトラップ（図示せず）を取り付ける排水穴２２が設けられている。また、該排水穴２２から皿部２１の右端に向かって凹溝２３が形成されており、皿部２１に流れ込んだ水は凹溝２３を経由して排水穴２２へと導かれるようになっている。なお、皿部２１は排水穴２２側へ向かって若干の下り傾斜になっている。
【００１７】
また、皿部２１の四隅には洗濯機の４本の足を載置するための台座（洗濯機足載置部）２４がそれぞれ設けられており、各台座２４の隅一個所には台座２４の表面から底面へと抜けるネジ留め用のネジを挿通するための円形の挿通孔２５が形成されているとともに、該挿通孔２５の天頂部につながって防水パンの４隅に向かい楕円状の凹み２６が形成されている。この凹み２６は、挿通孔２５に嵌め込んだ封止栓１０を取り外す時に、マイナスドライバ等を差し込むためのものである。
【００１８】
図３（ａ）の拡大図で示すように、挿通孔２５は、天頂部２５ａが、前記防止パン用の封止栓１０のフランジ部１２とほぼ同じ径の丸円型の孔で、その下側は台座２４の厚さの半分ほどは前記封止栓１０の弾性片１４で形成した円筒状の径とほぼ同じ径の孔２５ｂとなっている。また、挿通孔２５のほぼ中間部にはネジの頭が止まるように径が狭められた段差部２５ｃが設けられており、この段差部２５ｃから台座２４の下面までは下側に向かって広がるテーパー状の孔２５ｄとして形成されている。
【００１９】
図３（ｂ）は、前記挿通孔２５にネジ３０を落とし込み、挿通孔２５の天頂部２５ａから前記封止栓１０を嵌め込んだ様子を示している。ネジ３０の頭３０ａが挿通孔２５の段差部２５ｃで止まった状態になり、ネジ３０の先端が挿通孔２５の下面出口から突出する。また、封止栓１０はそのフランジ部１２が挿通孔２５の天頂部２５ａに嵌合するとともに、封止栓１０の弾性片１４は挿通孔２５の孔２５ｂに嵌合され、弾性片１４のロック用の突起１４ａが孔２５ｂの周辺に押圧されてロック状態になる。
これにより、この挿通孔２５の中に塵や水が入り込むのを防止する防塵・防水の働きをし、かつ防水パンの交換等に対し脱着可能とした。
【００２０】
次に、この封止栓１０の他の利用方法について説明する。
一般に、マンションやアパートなど多数の部屋があり、洗濯場も同様に多数設けられる建築では、それに応じて多数の防水パンを使用することになるが、製造現場から建築現場までの防水パンの輸送は、複数個を段積みにして荷崩れがおきないように段ボールでしっかりと梱包した状態で行っている。
このような形式で防水パンを輸送すると、防水パンを取り出したあとの段ボールの後処理が煩雑となり、また段ボールを使用することで経費が嵩むという問題もある。
【００２１】
そこで、前記封止栓１０を上下逆さにしてそのフランジ部１２を、図４の左側に示すように、防水パン２０Ａの挿通孔２５の天頂部２５ａに嵌合させる。当然、四隅全てについて行う。次に、防水パン２０Ｂを防水パン２０Ａの上に段積みして、防水パン２０Ｂの挿通孔２５の下面から防水パン２０Ａに嵌め込んだ封止栓１０の弾性片１４を挿入嵌合させる。嵌合させた状態を、図４の右側に示す。防水パン２０Ｂの上にも、同様にしてさらに段積みすることができる。３段から５段積みぐらいが適当であろう。
【００２２】
段積みが終わったら、埃よけ等も考慮してビニールシートを被せて梱包する。
一番上に積まれた防水パン２０の挿通孔２５にも通常の向きにして封止栓１０を嵌め込んでおけば、従来のように封止栓１０をビニール袋に入れて、防水パン２０に添付する必要がなく、必要なネジのみ添付することで良い。これにより、封止栓１０の紛失等の煩雑さも回避することができる。なお、ネジは他のネジにても代替することができる。
【産業上の利用可能性】
【００２３】
上記実施の形態では、封止栓を防止パンの家屋床面設置用のネジ孔で有る挿通孔を封止し、かつ防水パンの段積み輸送時に利用することにつき説明したが、水回りの商品でネジ留めした後、防塵・防水の観点から封止が必要で、かつ脱着可能を必要とし輸送時に段積みするようなものにも利用することができる。
【図面の簡単な説明】
【００２４】
【図１】本発明に係る防水パン用の封止栓を示し、（ａ）は正面図、（ｂ）は底面図である。
【図２】防止パンを示し、（ａ）は平面図、（ｂ）は（ａ）のＡ−Ａ線断面図である。
【図３】（ａ）は図２（ａ）のＢ−Ｂ線拡大断面図、（ｂ）は（ａ）にネジを挿入して図１に示す封止栓を嵌め込んだ図である。
【図４】防水パン用の封止栓を防水パンの段積み輸送に使用するための説明図である。
【符号の説明】
【００２５】
１０    防水パン用の封止栓
１２    フランジ部
１４    弾性片
１４ａ  ロック用の突起
２０    防水パン
２１    皿部
２２    排水穴
２３    凹溝
２４    洗濯機の足載置部
２５    挿通孔
２５ａ  天頂部
２６    楕円状の凹み
３０    ネジ
３０ａ  ネジ頭
【図１】
2008308934.tif 000003
【図２】
2008308934.tif 000004
【図３】
2008308934.tif 000005
【図４】
2008308934.tif 000006